(57)【要約】  オストミー器具（２）のための回収バッグであって、前壁（４）及び汚物が回収バッグに入ることのできる開口部を有し、後壁（６）を有する回収バッグ（２）中に伸び且つ回収バッグ（２）の周囲から内部への機械的ムーブメントの密封移動に適合した移動手段（２２）を含んで成る操作ポケット（１０）が回収バッグ（２）の前壁（４）及び／又は後壁（６）に区画形成される回収バッグ（２）。ムーブメントの密封移動を用いて、腸内ガスが消臭フィルターを通って通過することができるように、回収バッグ（２）の内側に通路を開けることができる。消臭フィルターは、通路の開口の前に、それが汚染されないように保護される。
2007536042.tif 000002
【特許請求の範囲】
【請求項１】
オストミー器具のための回収バッグであって、前壁及び汚物が回収バッグに入ることのできる開口部を有する後壁を有し、回収バッグ中に伸び且つ回収バッグの周囲から内部への機械的ムーブメントの密封移動に適合した移動手段を含んで成る操作ポケットが回収バッグ中に提供される回収バッグ。
【請求項２】
操作ポケットの長さが、操作ポケットの幅の少なくとも２倍である、請求項１に記載のオストミー器具。
【請求項３】
操作ポケットが回収バッグの前壁及び後壁の間に区画形成される、請求項１又は２に記載のオストミー器具。
【請求項４】
操作ポケットが、回収バッグ中の通路が閉じている閉口位置及び通路が開いている開口位置の間で変わるように適合する、請求項１〜３のいずれか一項に記載のオストミー器具。
【請求項５】
操作ポケットが閉口位置に存在する場合に、操作ポケットの壁が通路を覆うように適合する、請求項４に記載のオストミー器具。
【請求項６】
操作ポケットが開口位置に存在する場合に、腸内ガスが回収バッグの内側から回収バッグの周囲へと通過することができるように通路が適合する、請求項４又は５に記載のオストミー器具。
【請求項７】
消臭フィルターを通路中に提供する、請求項４〜６のいずれか一項に記載のオストミー器具。
【請求項８】
通路が、回収バッグの第一のチャンバー及び回収バッグの第二のチャンバーの間に提供する、請求項４又は５に記載のオストミー器具。
【請求項９】
可撓性物質の２つのシートは、操作ポケットの第一の壁及び第二の壁を区画形成し、且つ第一及び第二の壁は、それぞれの壁の第一の部分に沿って互いに密封付着する、請求項１〜８のいずれか一項に記載のオストミー器具。
【請求項１０】
第一の壁及び第二の壁のそれぞれの第二の部分が、回収バッグの前壁及び／又は後壁に密封付着する、請求項９に記載のオストミー器具。
【発明の詳細な説明】
【技術分野】
【０００１】
本発明は、バッグの周囲からバッグの内部への機械的ムーブメント（ｍｏｖｅｍｅｎｔ）の密封移動のための配置を含んで成る、オストミー器具のための回収バッグに関する。特に、本発明は、バッグの周囲からバッグの内部へのムーブメントの密封移動の際に開口及び閉口され得るバッグ内部の通路を含んで成る回収バッグに関する。
【背景技術】
【０００２】
オストミー器具との接続における１つの問題は、腸内ガスの放出（体積で測定した）が、固体及び液体糞便の放出を数百倍超え得ることであり、従って腸又は回収バッグの継続的又は頻繁な通気が通常必要である。通常、腸内ガスの流出は適切なフィルターを通して脱臭される。
【０００３】
しかし、フィルターとの接続における１つの問題は、汚物、すなわち固体及び液体糞便によりブロックされ得ることである。この問題を克服するための努力がなされ、フィルターが使用者により手動で交換され得る系が設計された。
【０００４】
１つの例は、それぞれがフィルターを含む複数の通気通路を有する小袋（ｐｏｕｃｈ）壁を含んで成る、オストミー回収小袋について記載する米国特許第４，９３８，７５０号において見出すことができる。各フィルターは、１つの場所から別の場所に接着カバーを単に移動させることにより順に曝露させることができる。接着カバーは、使用者が接着カバーにアクセスし移動させることが可能であるように、外側に提供される。従って、小袋の内部に面するフィルターの表面は使用前に覆われるので、フィルターが使用される前にフィルターは内側からブロックされ得る。
【０００５】
従って、バッグの内側に面する内側表面及びバッグの外側に面する外側表面を有するフィルターを備えたオストミー器具であって、内部表面がフィルターの使用前の汚染から保護されるオストミー器具を提供することが望まれている。
【０００６】
更に、未使用のフィルターを保護するカバーを取り除くためにオストミー器具を開けなければならないことを避ける解決策の提供が望まれている。従って、器具の表面から器具の内部へのムーブメントの密封移動を達成することが本発明の目的である。
【０００７】
器具の表面から内部へのムーブメントの移動の例は、外側から指で挟み、脱臭剤を含む物体に圧力をかけ、それにより脱臭剤を含む物体を破壊して小袋部材内から脱臭剤を放出させる、脱臭剤を含む物体を含んで成る体内老廃物を受ける小袋について記載するＥＰ０８５０６１３において見られる。しかし、脱臭剤を含む物体は滑らかな表面の後ろ側に提供されるので、物体を握りそして挟むことが困難であり得る。更に、物体が挟まれるので、小袋に穴を開ける危険性があり、それにより汚物が小袋から出る可能性がある。
【０００８】
上記の問題を克服することが本発明の目的である。
【発明の開示】
【０００９】
本発明の説明
本発明は、オストミー器具のための回収バッグであって、前壁及び汚物が回収バッグに入ることのできる開口部を有する後壁を有し、操作ポケットが回収バッグ中に伸び且つ回収バッグの周囲から内部への機械的ムーブメントの密封移動に適合した移動手段を含んで成る回収バッグの前壁及び／又は後壁に区画形成（ｄｅｆｉｎｅ）される回収バッグに関する。
【００１０】
操作手段は、操作ポケットの壁を通して伸び、内側部分及び外側部分を含んで成る。内側部分は操作ポケットから回収バッグへと伸び、外側部分は操作ポケットから回収バッグの外側へと伸び、使用者にとって利用しやすい。
【００１１】
移動手段を握ることにより、使用者は回収バッグの内側を操作することができ、それにより例えば腸内ガスフィルターを汚染から保護するカバーを取り除くことが可能となるだろう。動作は密封条件下で実施されるので、腸内ガスはフィルターをすり抜けず、不愉快な状況は避けられる。
【００１２】
操作ポケットは、小袋の一般的な形態を妨げずに移動手段の可動性を提供し、操作が前壁又は後壁の物質を圧迫しないことを確実にする。バッグの壁を通して挟む必要がないので、使用者の指の爪が回収バッグに穴を開けることが避けられる。操作ポケットの長さが、移動手段のバッグ内で動き得る程度を決定する。
【００１３】
移動手段は、長く硬い要素、例えば棒状プラスチック要素として提供することができる。棒状要素の１つの利点は、内方向及び外方向の双方のムーブメントの移動を可能にすることである。或いは、移動手段は、例えば回収バッグの前壁又は後壁と同じ種類の可撓性のあるシート物質（又は同じ種類の物質）の紐として提供することができる。或いは、ひもの形態の移動手段は、綿の紐又はナイロンの紐又は任意の他の種類の紐から作ることができる。
【００１４】
移動手段の底の部分は、操作ポケットの底に付着し、ポケットの外に伸ぶることができ、それにより移動手段の反対側の上部は使用者により握られることができる。移動手段は、ポケットに接着又は溶接させ、或いはそれ自体知られた別の付着方法により付着させることができる。
【００１５】
移動手段の上部は、初めは例えばステッカーにより前壁又は後壁に解放可能に付着させることができる。
【００１６】
移動手段が抜かれたのかを使用者が見て、それにより回収バッグ中の通路が開いているのか否かを確かめることができるように、指示色を有する移動手段を提供することができる。
【００１７】
１つの実施態様において、操作ポケットの長さは、操作ポケットの幅の少なくとも２倍である。或いは、長さは、幅の３倍又は４倍又は少なくとも５倍である。操作ポケットの幅は、１０ｍｍ未満、例えば５ｍｍ未満であることができる。
【００１８】
操作ポケット中の前壁及び／又は後壁の穴は、増大する圧力（例えば、回収バッグ中の腸内ガスにより）により操作ポケットが回収バッグの外に広がり得ないように、設計することができる。１つの実施態様において、細長く細い形で前壁及び／後壁中に穴を提供することにより、これは達成される。例えば、穴の縁と移動手段の間のすき間は０．２ｍｍ超でない。
【００１９】
操作ポケットは、記憶を有する物質（すなわち、それは前もって決定した位置に動く傾向を有する）から作ることができる。１つの実施態様において、操作ポケットは、バッグ中にそして操作ポケットがしわになる位置から離れて伸びる傾向を有する。
【００２０】
１つの実施態様において、操作バッグは、前壁又は後壁中に区画形成される。別の実施態様は、回収バッグの前壁及び後壁の間に区画形成された操作ポケットを提供する。後者の実施態様において、操作ポケットは、前壁及び後壁の間の継ぎ目（ｓｅｅｍ）中に区画形成される。前壁及び後壁の縁の一部分は組み立てられずに残され、操作ポケットを置くための穴を提供することができる。次に、未接続の前壁及び後壁の部分は、それぞれ操作ポケットの壁と接続することができ、腸内ガスは穴を通って回収バッグから放出することができる。
【００２１】
更なる実施態様において、操作ポケットは、回収バッグ中の通路が閉じている閉口位置及び通路が開いている開口位置の間で変わるように適合する。或いは、閉口位置から開口位置への動作は、例えば移動手段が引く力のみを与えることができる場合には不可逆的である。
【００２２】
操作ポケットが閉口位置に存在する場合、操作ポケットの側壁（又は拡張）通路を覆うのに適している。閉口位置において、通路の封は、１つの実施態様において解放可能又は再封可能な接着剤によって壁の一部分を通路の縁に付着させることにより改善することができる。
【００２３】
操作ポケットが開口位置に存在する場合に、回収バッグの内部から回収バッグの周囲に腸内ガスが通過できるように、通路は適合することができる。消臭フィルターは、通路中に提供することができる。更に、前置フィルターを通路中に提供することができる。前置フィルターは、汚物が消臭フィルターを汚染するのを防ぐように適合することができる。汚物が回収バッグから漏れるのを防ぐ膜を提供することができる。回収バッグの内側から見た通路中の要素の順序は、前置フィルター、消臭フィルター及び膜であることができる。しかし、これらの要素は、任意の順序で置くことができる。
【００２４】
代わりの実施態様において、回収バッグは第一のチャンバー及び第二のチャンバーと共に提供することができる。初めに、汚物は第一のチャンバーにのみ入ることができ、一方第二のチャンバーは閉じている。通路は、回収バッグの第一のチャンバー及び回収バッグの第二のチャンバーの間に提供することができる。従って、第一のチャンバーがほぼ充填された場合、使用者は第一のチャンバー及び第二のチャンバーの間の通路を開けることができ、このようにしてより多くの汚物のための空間が存在する。
【００２５】
１つの実施態様において、可撓性物質の２つのシートは、操作ポケットの第一の壁及び第二の壁を区画形成し、且つ第一及び第二の壁は、それぞれの壁の第一の部分に沿って互いに密封付着する。操作ポケットの第一又は第二の壁のどちらかは、操作ポケットが閉口位置に存在する場合に、通路をブロックするのに用いることができる。
【００２６】
操作ポケットの第一の壁及び第二の壁の縁は、第一の部分及び第二の部分に分けることができる。１つの実施態様において、操作ポケットの第一の壁及び第二の壁は、それらのそれぞれの第一の部分に沿って互いに付着する。同時に、操作ポケットの第一の壁の第二の部分は、回収バッグの前壁の縁に付着し、操作ポケットの第二の壁の第二の部分は、回収バッグの後壁の縁に付着する。
【００２７】
発明の詳細な説明
本発明の実施態様は、図面に関連して詳細が説明される：
図１ａ及び図１ｂは、本発明の一般原則の正面図及び断面図を示し、
図２ａ及び図２ｂは、フィルターへの通路を覆うポケットの正面図及び断面図を示し、
図３及び図４は、本発明の移動手段を示し、
図５は、移動手段により制御することのできるフィルター中の開口部を示し、そして
図６〜８は、移動手段が動くことのできる距離を制限するための手段の異なる実施態様を示す。
【００２８】
本発明を実施する最良の形態
本発明は、本発明の好ましい実施態様を示す図面に関連してより詳細が説明される。
【００２９】
図１ａ及び１ｂは、本発明の基礎をなす一般原則を開示する。オストミー器具２の一部分が示される。オストミー器具２は、第一の継ぎ目８により接続した前壁４及び後壁６を含んで成る。操作ポケット１０は、第一の壁１２及び第二の壁１４を含んで成る。第一の壁１２は、第二の継ぎ目１６における前壁４に継ぎ合わせ、第二の壁１４は、第三の継ぎ目１８における後壁６に継ぎ合わせる。第一の壁１２及び第二の壁１４は、第四の継ぎ目２０において互いに継ぎ合わせる。移動手段２２は、操作ポケット１０の底部に付着する。移動手段は、第四の継ぎ目２０に接続する。矢印２４により示されるように、移動手段２２は、それが図１ａの上部に示したオストミー器具２の中に伸びる位置から、それが図１ａの下部に示したオストミー器具の外側に伸びる位置まで操作ポケットを移動させるのに用いることができる。
【００３０】
図２ａ及び図２ｂの実施態様は、図１ａ及び１ｂの原則に基づいている。しかし、図２ａ及び図２ｂにおいては、操作ポケットはフィルター２８への通路２６を覆うのに用いる。操作ポケットは、ミシン目３０を含んで成る（図２ｂの上部は図２ｂの上部の断面図であり、断面図において断面はミシン目中の１つの穴を通して作製した）。第四の継ぎ目２０の一部分は、付着部分３２における後壁６に付着させた。移動手段２２が引かれた場合、ミシン目は壊れ、腸内ガスは矢印３４により示したフィルター８を通って通過することができる。
【００３１】
図３において、移動手段２２は、第一の部分３６及び第二の部分３８を含んで成る。第一の部分３６はオストミー器具の外側に提供し、一方第二の部分３８は内側に提供する。図４において、移動手段２２の更なる第三の部分４０を提供する。双方の図において、移動手段は、オストミー器具の外側から内側へのムーブメントの密封移動に使用することができる。
【００３２】
図５において、通路２６は、矢印２４により示す方向において移動手段２２に力を適用しない場合に、通路を閉じるように設計された要素４２を提供する。
【００３３】
図６〜８は、移動手段２２が動くことのできる距離を制限する動作制限手段４４を含んで成るように器具が設計された異なる実施態様を示す。図６において、動作制限手段４４は、残りの移動手段２２よりも大きい直径を有する、移動手段２２の一部分である。図７において、操作ポケットの第一の壁及び第二の壁の間の継ぎ目は、動作を制限するように設計する。図８において、前壁及び後壁の間の継ぎ目は、移動手段のみを穴４６の外に動かすことができ、操作バッグを穴の外に引くことができないように設計する。
【図１ａ】
2007536042.tif 000003
【図１ｂ】
2007536042.tif 000004
【図２ａ】
2007536042.tif 000005
【図２ｂ】
2007536042.tif 000006
【図３】
2007536042.tif 000007
【図４】
2007536042.tif 000008
【図５】
2007536042.tif 000009
【図６】
2007536042.tif 000010
【図７】
2007536042.tif 000011
【図８】
2007536042.tif 000012
【国際調査報告】
2007536042.tif 000013
2007536042.tif 000014